(57)【要約】      （修正有）【課題】一枚のシートから形成され、一体性を保持したまま組み立て可能、かつ組立状態を比較的容易に保持できる仕切体用シートを提供する。【解決手段】仕切体用シートは、一対の第一切込線３及び第一折曲容易線４によって区画される第一仕切板１及び第二仕切板２を備え、第一仕切板１が、第一折曲容易線４の一端４ａから仮想直線Ｌに垂直に延出する第二折曲容易線５と、第一折曲容易線４の他端と第二折曲容易線５の延出側先端とを結ぶ第二切込線６と、第二折曲容易線５の略延長線上に形成される係合スリット７とを有し、第二仕切板２が、第二折曲容易線５の略延長線上に形成され、第一仕切板１と反対側の外縁まで延在する組立スリット８を有し、組立スリット８が、第一仕切板１側の幅広部９と、この幅広部９よりも第一仕切板１から遠い幅狭部１０とを有し、幅狭部１０が、組立状態で係合スリット７に嵌合する。【選択図】図１
0003201127.tif 000002
【実用新案登録請求の範囲】
【請求項１】
一枚のシート材から形成され、仮想直線によって区画される第一仕切板及び第二仕切板を備え、折り曲げられることにより第一仕切板及び第二仕切板が平面視十字状に組み合わされた仕切体に組み立てられる仕切体用シートであって、
上記仮想直線上かつ両端に形成される一対の第一切込線と、仮想直線上かつ一対の第一切込線の間に形成される第一折曲容易線とを有し、
上記第一仕切板が、第一折曲容易線の一端から仮想直線に垂直に延出する第二折曲容易線と、第一折曲容易線の他端と第二折曲容易線の延出側先端とを結ぶ第二切込線と、第二折曲容易線の略延長線上に形成される係合スリットとを有し、
上記第二仕切板が、第二折曲容易線の略延長線上に形成され、第一折曲容易線からの最短距離が上記第一折曲容易線の一端から第二切込線までの最短距離よりも小さく、かつ第一仕切板と反対側の外縁まで延在する組立スリットを有し、
上記組立スリットが、第一仕切板側の幅広部と、この幅広部よりも第一仕切板から遠い幅狭部とを有し、
上記第一折曲容易線から幅狭部までの最短距離が、第一折曲容易線から係合スリットまでの最短距離以上であり、
上記幅狭部が、組立状態で係合スリットに嵌合することを特徴とする仕切体用シート。
【請求項２】
上記幅狭部が、一本の切断線から形成される無幅部分を有する請求項１に記載の仕切体用シート。
【請求項３】
上記無幅部分の切断線が、上記第二折曲容易線と平行かつ第一折曲容易線の延在方向に互いに位置ずれした第一切断部及び第二切断部と、この第一切断部及び第二切断部間を接続する第三切断部とを有する請求項２に記載の仕切体用シート。
【請求項４】
上記第一切断部と第二切断部との位置ずれ量が、上記シート材の平均厚さの０．５倍以上２倍以下である請求項３に記載の仕切体用シート。
【請求項５】
上記係合スリットの長さが、上記第二折曲容易線上での第一仕切板の高さの１０分の１以上５分の２以下である請求項１から請求項４のいずれか１項に記載の仕切体用シート。
【考案の詳細な説明】
【技術分野】
【０００１】
本考案は、仕切体用シートに関する。
【背景技術】
【０００２】
箱体に複数の商品を収容する場合、商品同士が直接接触しないよう、商品間に仕切板を挿入することがある。特に、例えば瓶入りの商品等を縦横の行列状に配列して箱体内に収容するときには、二枚以上の仕切板に互いを咬合させるスリットを設けて平面視十字状乃至井桁状に組み合わせた仕切体（組仕切）が広く利用されている。
【０００３】
このように複数の仕切板を組み合わせる仕切体は、包装材料（シート）の数が多く、その管理が煩雑になるという不都合がある。そこで、一枚のシートから形成され、シートを切断することなく平面視十字状に組み合わせる仕切体が提案されている（例えば実開平２−３４４２６号公報参照）。
【０００４】
具体的に説明すると、上記公報に記載の仕切体は、二枚の仕切板の上下方向一方の端縁の一部を第一折曲容易線として二枚の仕切板を互いに連結している。さらに、上記公報に記載の仕切体は、一方の仕切板に、上記第一折曲容易線の一端からこの第一折曲容易線に垂直に延出する第二の折曲容易線と、第一折曲容易線の他端と第二折曲容易線の延出側先端とを結ぶ中心角９０°の円弧状の切込線とを形成することによって、一方の仕切板を他方の仕切板に対して、第一折曲容易線の一端を中心として２方向に回動可能に接続している。さらに、上記公報に記載の仕切体は、他方の仕切板に、第二折曲容易線の略延長線上に形成され、第二仕切板の第一仕切板と反対側の外縁に開口するスリットを形成することによって、このスリット内に第一仕切板を嵌合させ、第一仕切板と第二仕切板とを平面視十字状に組み立てることができるようになっている。
【０００５】
上記公報に記載の仕切体は、第一仕切板と第二仕切板とを平面視十字状に組み合わせることができるものの、そのシートの腰（弾性）により、平面視十字状に組み立てた状態を保持できないおそれがある。このため、上記公報に記載の仕切体を用いる場合、仕切体を組立状態に保つよう手や治具で押さえながら商品を箱詰めする必要があり、箱詰め作業が煩雑となるおそれがある。
【先行技術文献】
【特許文献】
【０００６】
【特許文献１】実開平２−３４４２６号公報
【考案の概要】
【考案が解決しようとする課題】
【０００７】
上記に鑑みて、本考案は、一枚のシートから形成され、一体性を保持したまま組み立て可能、かつ組立状態を比較的容易に保持できる仕切体用シートを提供することを課題とする。
【課題を解決するための手段】
【０００８】
上記課題を解決するためになされた本考案の仕切体用シートは、一枚のシート材から形成され、仮想直線によって区画される第一仕切板及び第二仕切板を備え、折り曲げられることにより第一仕切板及び第二仕切板が平面視十字状に組み合わされた仕切体に組み立てられる仕切体用シートであって、上記仮想直線上かつ両端に形成される一対の第一切込線と、仮想直線上かつ一対の第一切込線の間に形成される第一折曲容易線とを有し、上記第一仕切板が、第一折曲容易線の一端から仮想直線に垂直に延出する第二折曲容易線と、第一折曲容易線の他端と第二折曲容易線の延出側先端とを結ぶ第二切込線と、第二折曲容易線の略延長線上に形成される係合スリットとを有し、上記第二仕切板が、第二折曲容易線の略延長線上に形成され、第一折曲容易線からの最短距離が上記第一折曲容易線の一端から第二切込線までの最短距離よりも小さく、かつ第一仕切板と反対側の外縁まで延在する組立スリットを有し、上記組立スリットが、第一仕切板側の幅広部と、この幅広部よりも第一仕切板から遠い幅狭部とを有し、上記第一折曲容易線から幅狭部までの最短距離が、第一折曲容易線から係合スリットまでの最短距離以上であり、上記幅狭部が、組立状態で係合スリットに嵌合することを特徴とする。
【０００９】
当該仕切体用シートは、第一仕切板及び第二仕切板が第一折曲容易線によって接続された一枚のシートから形成されているので、包材の管理が比較的容易である。また、当該仕切体用シートは、上記第一仕切板が第二折曲容易線及び第二切込線を有することによって、第一折曲容易線の一端を中心に第二仕切板を第一仕切板に対して二方向に自由に回動させるよう折り曲げることができ、さらに上記第二仕切板が組立スリットを有することによって、第一仕切板と第二仕切板とを分離することなく一体性を保持したまま、組立スリットに第一仕切板を嵌合させて第一仕切板と第二仕切板を平面視十字状に組み合わせた仕切体に組み立てることができる。加えて、当該仕切体用シートは、第一仕切板が係合スリットを有し、組立スリットが上述のように係合スリットに嵌合する幅狭部を有することによって、第一仕切板と第二仕切板とを平面視十字状に組み立てた状態を比較的容易に保持することができる。このため、当該仕切体用シートを組み立ててなる仕切体を用いることにより、商品を比較的容易に箱詰めすることができる。
【００１０】
上記幅狭部が、一本の切断線から形成される無幅部分を有するとよい。このように、上記幅狭部が、一本の切断線から形成される無幅部分を有することによって、この幅狭部の係合スリットに対する係合がより確実となる。
【００１１】
上記無幅部分の切断線が、上記第二折曲容易線と平行かつ第一折曲容易線の延在方向に互いに位置ずれした第一切断部及び第二切断部と、この第一切断部及び第二切断部間を接続する第三切断部とを有するとよい。このように、上記無幅部分の切断線が、上記第二折曲容易線と平行かつ第一折曲容易線の延在方向に互いに位置ずれした第一切断部及び第二切断部と、この第一切断部及び第二切断部間を接続する第三切断部とを有することによって、第二仕切体の組立スリットの左右方向両側部分の係合スリットからの脱離を防止することができ、より確実に組立状態を保持できる。
【００１２】
上記第一切断部と第二切断部との位置ずれ量としては、上記シート材の平均厚さの０．５倍以上２倍以下が好ましい。このように、上記第一切断部と第二切断部との位置ずれ量が上記範囲内であることによって、組立を比較的容易にすると共に、第二仕切体の係合スリットへの係合を比較的確実にすることができる。
【００１３】
上係合スリットの長さとしては、上記第二折曲容易線上での第一仕切板の高さの１０分の１以上５分の２以下が好ましい。このように、上係合スリットの長さが上記範囲内であることによって、第一仕切体の強度低下を抑制しつつ、第一仕切板と第二仕切板との係合を比較的確実にすることができる。
【考案の効果】
【００１４】
以上のように、本考案の仕切体用シートは、一枚のシートから形成され、一体性を保持したまま組み立て可能、かつ組立状態を比較的容易に保持できる。
【図面の簡単な説明】
【００１５】
【図１】本考案の一つの実施形態の仕切体用シートの展開状態を示す模式的平面図である。
【図２】図１の仕切体用シートを組み立ててなる仕切体を示す模式的斜視図である。
【図３】図１の仕切体用シートの組み立ての一つの工程を示す模式的斜視図である。
【図４】図１の仕切体用シートの組み立ての図３の次の工程を示す模式的斜視図である。
【図５】本考案の図１とは異なる実施形態の仕切体用シートの展開状態を示す模式的平面図である。
【図６】本考案の図１及び図５とは異なる実施形態の仕切体用シートの展開状態を示す模式的平面図である。
【考案を実施するための形態】
【００１６】
以下、適宜図面を参照しつつ、本考案の実施の形態を詳説する。
【００１７】
［第一実施形態］
図１に、本考案の一実施形態の仕切体用シートを示す。当該仕切体用シートは、一枚のシート材から形成され、仮想直線Ｌによって区画される第一仕切板１及び第二仕切板２を備え、折り曲げられることにより第一仕切板１及び第二仕切板２が平面視十字状に組み合わされて図２に示す仕切体として用いられる。
【００１８】
なお、図において、太い線はシート材を切断してなる切断線を示し、細い線はシート材に型押しして形成した罫線を示す。
【００１９】
当該仕切体用シートを組み立ててなる仕切体は、箱体又は他の容器に収容される品物の間に配置されることで、品物同士が直接接触しないようにするため、或いは品物の整列状態を保持するために用いられる。当該仕切体用シートを組み立ててなる仕切体を挿入する箱体又は容器としては、特に限定されないが、段ボール箱が好適に用いられる。
【００２０】
当該仕切体用シートは、上記仮想直線Ｌ上かつ両端に形成される一対の第一切込線３と、仮想直線Ｌ上かつ一対の第一切込線３の間に形成される第一折曲容易線４とを有する。より詳しくは、第一仕切板１と第二仕切板２とは、組立状態における上縁又は下縁（図１の仕切体用シートでは上縁）が互いに突き合わされるよう互いの天地を逆向きにして配置され、突き合わされる外縁の一部分が第一折曲容易線４により接続され、第一折曲容易線４の両側部分が第一切込線３によって互いに切り離されている。
【００２１】
また、第一仕切板１は、第一折曲容易線４の一端４ａ（以下、基端と呼ぶことがある）から仮想直線Ｌに垂直に延出する第二折曲容易線５と、第一折曲容易線４の他端と第二折曲容易線５の延出側先端とを結ぶ第二切込線６と、第二折曲容易線５の略延長線上に形成され、第二仕切板２と反対側の外縁（組立状態下縁）に開口する係合スリット７とを有する。
【００２２】
一方、上記第二仕切板２は、第二折曲容易線５の略延長線上に形成され、第一折曲容易線４からの最短距離が第一折曲容易線４の一端から第二切込線６までの最短距離よりも小さく、かつ第一仕切板１と反対側の外縁まで延在する組立スリット８を有する。
【００２３】
この組立スリット８は、第一仕切板１側の幅広部９と、第一仕切板１と反対側の幅狭部１０とを有する。つまり、幅狭部１０は、幅広部９よりも第一仕切板１から遠い側に配設される。
【００２４】
第一折曲容易線４から幅狭部１０までの最短距離は、第一折曲容易線４から係合スリット７までの最短距離よりも大きい。これにより、当該仕切体用シートは、組立状態で、第一仕切板１が組立スリット８の幅広部９に嵌合し、かつ組立スリット８の幅狭部１０が係合スリット７に嵌合する。
【００２５】
従って、当該仕切体用シートは、第一仕切板１及び第二仕切板２が第一折曲容易線４によって接続された一枚のシートから形成されているので、当該仕切体用シートを含む包材の種類が少なく、包材の管理が比較的容易である。
【００２６】
また、当該仕切体用シートは、上記第一仕切板１が第二折曲容易線５及び第二切込線６を有することによって、第一折曲容易線４の一端を中心に第二仕切板２を第一仕切板１に対して二方向に自由に回動させるよう折り曲げることができ、さらに上記第二仕切板２が組立スリット８を有することによって、一部分を切り離すことなく一体性を保持したまま、図３及び図４に示すように、組立スリット８に第一仕切板１を嵌合させた平面視十字状の仕切体に組み立てることができる。
【００２７】
加えて、当該仕切体用シートは、第一仕切板１が係合スリット７を有し、組立スリット８が係合スリット７に嵌合する幅狭部１０を有することによって、第一仕切板１と第二仕切板２とを平面視十字状に組み立てた状態を比較的容易に保持することができる。このため、当該仕切体用シートを組み立ててなる仕切体を用いることにより、商品を比較的容易に箱詰めすることができる。
【００２８】
以下、当該仕切体用シートの各構成要素について、さらに詳しく説明する。
【００２９】
＜シート材＞
当該仕切体用シートを形成するシート材としては、例えば段ボールシート、プラスチックボード、ボール紙等を用いることができ、中でも段ボールシートが好適に用いられる。
【００３０】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００３１】
図１の仕切体用シートにおいて、第一折曲容易線４及び第二折曲容易線５は、中央部の切断線と、この切断線の両側に形成される罫線とによって構成されている。しかしながら、第一折曲容易線４及び第二折曲容易線５の構成は、図示する形態に限られず、複数の切断線を有してもよく、一又は複数の切断線又は罫線のみから形成されてもよい。また、第一折曲容易線４の構成と第二折曲容易線５の構成とが異なってもよい。特に、第一折曲容易線４は、シート材を９０°ずつ二段階に折り曲げるよう近接する平行な二本の線状に形成されてもよい。
【００３２】
また、図１の仕切体用シートにおいて、第一折曲容易線４の基端４ａは、第一仕切板１及び第二仕切体２の左右方向中央に位置している。これにより、当該仕切体用シートは、第一仕切板１及び第二仕切体２を互いの幅方向中央で交差するよう組み合わせることができる。
【００３３】
＜第一仕切板＞
第一仕切板１は、略方形に形成されており、仕切体に組み立てられて使用される際の左右方向側縁の下端近傍がテーパー状に縮幅している。これによって、当該仕切体用シートを組み立ててなる仕切体を箱体に挿入し易くしている。
【００３４】
第一仕切板１において、第二切込線６は、第一仕切板１の上端部の第一折曲容易線４の近傍領域を舌片状に分離して接続片１１を画定する。この舌片１１は、第一折曲容易線４及び第二折曲容易線５を介して第二仕切板２及び第一仕切板１の他の部分にそれぞれを折り曲げ可能に接続されている。
【００３５】
接続片１１と第一仕切板１の他の部分とを接続する第二折曲容易線５の長さとしては、接続片１１と第二仕切板２とを接続する第一折曲容易線４の長さと略等しいことが好ましい。また、第二切込線６の形状としては、第一折曲容易線４の基端４ａ（第二折曲容易線５との交点）からの最短距離が、第一折曲容易線４又は第二折曲容易線５の長さ以上であることが好ましく、中心角９０°の円弧状であること、つまり第一折曲容易線４の基端４ａからの距離が一定であることがより好ましい。これにより、第二折曲容易線５から係合スリット７までの距離及び組立スリット８までの距離を大きくして、第一仕切板１及び第二仕切板２の強度低下を抑制することができる。
【００３６】
第二折曲容易線５の長さの下限としては、第二折曲容易線５の位置での第一仕切板１の高さの８分の１が好ましく、５分の１がより好ましい。一方、第二折曲容易線５の長さの上限としては、第二折曲容易線５の位置での第一仕切板１の高さの２分の１が好ましく、５分の２がより好ましい。第二折曲容易線５の長さが上記下限に満たない場合、接続片１１が破れて第一仕切板１から分離してしまうおそれがある。逆に、第二折曲容易線５の長さが上記上限を超える場合、第二切込線６と係合スリット７との距離が小さくなり、第一仕切板１の強度が不十分となるおそれがある。
【００３７】
係合スリット７の長さの下限としては、第二折曲容易線５の位置での第一仕切板１の高さの１０分の１が好ましく、８分の１がより好ましい。一方、係合スリット７の長さの上限としては、第二折曲容易線５の位置での第一仕切板１の高さの５分の２が好ましく、３分の１がより好ましい。係合スリット７の長さが上記下限に満たない場合、幅狭部１０の係止が不十分となるおそれがある。逆に、係合スリット７の長さが上記上限を超える場合、第二切込線６と係合スリット７との距離が小さくなり、第一仕切板１の強度が不十分となるおそれがある。
【００３８】
係合スリット７の平均幅の下限としては、当該仕切体用シートを形成するシート材の平均厚さの１倍が好ましく、１．２倍がより好ましい。一方、係合スリット７の平均幅の上限としては、当該仕切体用シートを形成するシート材の平均厚さの２倍が好ましく、１．５倍がより好ましい。係合スリット７の平均幅が上記下限に満たない場合、幅狭部１０が嵌合したときに不必要な応力が生じて、外力により変形しやすくなるおそれがある。逆に、係合スリット７の平均幅が上記上限を超える場合、第二仕切板２を傾斜して美観を損ねるおそれや、第一仕切板１の強度が不必要に低下するおそれがある。
【００３９】
＜第二仕切板＞
第二仕切板２は、略方形に形成されており、仕切体に組み立てられて使用される際の左右方向側縁の下端近傍がテーパー状に縮幅している。これによって、当該仕切体用シートを組み立ててなる仕切体を箱体にさらに挿入し易くしている。第二仕切板２の上下方向の高さは、第一仕切板１と略等しい。また、第二仕切板２の左右方向の幅は、図１の仕切体用シートでは第一仕切板１の左右方向の幅よりも小さく形成されているが、これに限られず、第一仕切板１の左右方向の幅以上であってもよい。
【００４０】
第一折曲容易線４から組立スリット８までの最短距離と第一折曲容易線４の基端４ａから第二切込線６までの最短距離との差の下限としては、当該仕切体用シートを形成するシート材の平均厚さの０．５倍が好ましく、１倍がより好ましい。一方、第一折曲容易線４から組立スリット８までの最短距離と第一折曲容易線４の基端４ａから第二切込線６までの最短距離との差の上限としては、当該仕切体用シートを形成するシート材の平均厚さの３倍が好ましく、２倍がより好ましい。第一折曲容易線４から組立スリット８までの最短距離と第一折曲容易線４の基端４ａから第二切込線６までの最短距離との差が上記下限に満たない場合、組立スリット８の第一仕切板１側の端部が第二切込線６の外側の第一仕切板１と干渉して当該仕切体用シートの組立を阻害するおそれがある。逆に、第一折曲容易線４から組立スリット８までの最短距離と第一折曲容易線４の基端４ａから第二切込線６までの最短距離との差が上記上限を超える場合、第二仕切板２の強度が不必要に低下するおそれがある。
【００４１】
組立スリット８の幅広部９の平均幅の下限としては、当該仕切体用シートを形成するシート材の平均厚さの１．５倍が好ましく、２倍がより好ましい。一方、幅広部９の平均幅の上限としては、当該仕切体用シートを形成するシート材の平均厚さの４倍が好ましく、３倍がより好ましい。幅広部９の平均幅が上記下限に満たない場合、幅広部９に第一仕切板１を嵌合させることが容易でなくなるおそれがある。逆に、幅広部９の平均幅が上記上限を超える場合、第二仕切板２の強度が不必要に低下するおそれがある。
【００４２】
組立スリット８の幅狭部１０の平均幅は、係合スリット７から脱離し難いよう、小さい程好ましい。幅狭部１０の平均幅の上限としては、シート材の平均厚さの０．８倍が好ましく、０．５倍がより好ましい。幅狭部１０の平均幅が上記上限を超える場合、幅狭部１０が係合スリット７から脱離し易くなるおそれがある。
【００４３】
幅狭部１０は、一本の切断線から形成される無幅部分を有することが好ましい。図１の仕切体用シートにおいて、幅狭部１０は、全体が無幅部分となっているが、その一部分を無幅部分としてもよい。幅狭部１０の無幅部分を形成する切断線は、一本の直線状であってもよく、湾曲又は屈曲した線状であってもよい。
【００４４】
さらに、図１の仕切体用シートにおいて、幅狭部１０の無幅部分の切断線は、第二折曲容易線５と平行かつ第一折曲容易線４の延在方向に互いに位置ずれした第一切断部１２及び第二切断部１３と、この第一切断部１２及び第二切断部１３間を接続する第三切断部１４とを有するとよい。
【００４５】
このように、幅狭部１０の無幅部分を形成する切断線が、上記一切断部１２、第二切断部１３及び第三切断部１４を有することにより、第二仕切板２の幅狭部１０より右側部分及び左側部分がそれぞれ係合スリット７の中に嵌合する突出部分を有する形状となる。これにより、係合スリット７による幅狭部１０の係止、ひいては当該仕切体用シートの組立状態の保持がより確実となる。
【００４６】
第一切断部１２と第二切断部１３との位置ずれ量の下限としては、当該仕切体用シートを形成するシート材の平均厚さの０．５倍が好ましく、１倍がより好ましい。一方、第一切断部１２と第二切断部１３との位置ずれ量の上限としては、当該仕切体用シートを形成するシート材の平均厚さの３倍が好ましく、２倍がより好ましい。第一切断部１２と第二切断部１３との位置ずれ量が上記下限に満たない場合、係合スリット７による幅狭部１０の係止が不十分となるおそれがある。逆に、第一切断部１２と第二切断部１３との位置ずれ量が上記上限を超える場合、幅狭部１０の隙間を第一仕切板１を通過させられるまで押し拡げることが容易ではなくなり、当該仕切体用シートを仕切体に組み立てることが困難となるおそれがある。
【００４７】
第一折曲容易線４から係合スリット７までの最短距離と第一折曲容易線４から組立スリット８の幅狭部１０までの最短距離との差の下限としては、０ｍｍが好ましく、０．５ｍｍがより好ましい。一方、第一折曲容易線４から係合スリット７までの最短距離と第一折曲容易線４から組立スリット８の幅狭部１０までの最短距離との差の上限としては、３ｍｍが好ましく、２ｍｍがより好ましい。第一折曲容易線４から係合スリット７までの最短距離と第一折曲容易線４から組立スリット８の幅狭部１０までの最短距離との差が上記下限に満たない場合、係合スリット７に幅狭部１０を嵌合させることが容易でなくなるおそれがある。逆に、第一折曲容易線４から係合スリット７までの最短距離と第一折曲容易線４から組立スリット８の幅狭部１０までの最短距離との差が上記上限を超える場合、第一仕切板１又は第二仕切板２の強度が不必要に低下するおそれがある。
【００４８】
［第二実施形態］
図５に、本考案の別の実施形態の仕切体用シートを示す。当該仕切体用シートは、一枚のシート材から形成され、互いに平行な一対の仮想直線Ｌによって区画される一枚の第一仕切板２１及び一対の第二仕切板２２を備える。より詳しくは、当該仕切体用シートは、第一仕切板２１の一方の仮想直線Ｌで画定される上縁に一方の第二仕切板２２が連設され、第一仕切板２１の他方の仮想直線Ｌで画定される下縁に他方の第二仕切板２２が連設されている。
【００４９】
当該仕切体用シートは、折り曲げられることにより、一体性を保持したまま、一対の第二仕切板２２が間隔を空けて略平行に配置されるよう、第一仕切板２１に対してそれぞれ平面視十字状に組み合わされることによって仕切体に組み立てられる。
【００５０】
当該仕切体用シートは、上記一対の仮想直線Ｌ上かつ両端にそれぞれ形成される二対の第一切込線３と、一対の仮想直線Ｌ上かつ各対の第一切込線３の間にそれぞれ形成される二本の第一折曲容易線４とを有する。
【００５１】
また、第一仕切板２１は、各第一折曲容易線４の一端４ａから仮想直線Ｌに垂直に延出する一対の第二折曲容易線５と、各第一折曲容易線４の他端と各第二折曲容易線５の延出側先端とを結ぶ一対の第二切込線６と、各第二折曲容易線５の略延長線上に形成され、対応する第二仕切板２２と反対側の外縁に開口する一対の係合スリット７とを有する。
【００５２】
さらに、各第二仕切板２２は、対応する第二折曲容易線５の略延長線上に形成され、対応する第一折曲容易線４からの最短距離が第一折曲容易線４の一端から対応する第二切込線６までの最短距離よりも小さく、かつ第一仕切板２１と反対側の外縁まで延在する組立スリット８をそれぞれ有する。
【００５３】
当該仕切体用シートにおいて、一対の第一切込線３、一対の第一折曲容易線４、一対の第二折曲容易線５、一対の第二切込線６、一対の係合スリット７及び一対の組立スリット８は、第一仕切板２１の中央位置を中心として、それぞれ点対称に形成されている。
【００５４】
なお、図５の仕切体用シートにおける第一切込線３、第一折曲容易線４、第二折曲容易線５、第二切込線６、係合スリット７及び組立スリット８の構成は、図１の仕切体用シートおける第一切込線３、第一折曲容易線４、第二折曲容易線５、第二切込線６、係合スリット７及び組立スリット８の構成と同様であるため、図５の仕切体用シートについて重複する説明は省略する。
【００５５】
一対の第二折曲容易線５の左右方向の間隔が第一仕切板２１の上下方向の高さよりも小さい場合、組立時に一対の第二仕切板２２が干渉しないよう、少なくとも一方の第一折曲容易線４及び第二切込線６を他方の第一折曲容易線４及び第二切込線６と反対側に設けることが好ましい。
【００５６】
［第三実施形態］
図６に、本考案のさらに別の実施形態の仕切体用シートを示す。当該仕切体用シートは、一枚のシート材から形成され、仮想直線Ｌによって区画される第一仕切板３１及び第二仕切板３２を備える。当該仕切体用シートは、折り曲げられることにより、一体性を保持したまま、第一仕切板３１及び第二仕切板３２が平面視十字状に組み合わされることによって仕切体に組み立てられる。
【００５７】
当該仕切体用シートは、上記仮想直線Ｌ上かつ両端に形成される一対の第一切込線３と、仮想直線Ｌ上かつ一対の第一切込線３の間に形成される第一折曲容易線４とを有する。
【００５８】
また、第一仕切板３１は、第一折曲容易線４の一端４ａから仮想直線Ｌに垂直に延出する第二折曲容易線５と、第一折曲容易線４の他端と第二折曲容易線５の延出側先端とを結ぶ第二切込線６と、第二折曲容易線５の略延長線上に形成され、第一仕切板３１内に閉じた係合スリット３７とを有する。
【００５９】
さらに、第二仕切板３２は、第二折曲容易線５の略延長線上に形成され、第一折曲容易線４からの最短距離が第一折曲容易線４の一端から第二切込線６までの最短距離よりも小さく、かつ第一仕切板３１と反対側の外縁まで延在する組立スリット３８を有する。
【００６０】
この組立スリット３８は、第一仕切板３１側の第一幅広部３９と、この第一幅広部３９よりも第一仕切板３１から遠い幅狭部４０と、この幅狭部４０よりも第一仕切板３１からさらに遠い第二幅広部４１とを有する。
【００６１】
なお、図６の仕切体用シートにおける第一切込線３、第一折曲容易線４、第二折曲容易線５及び第二切込線６の構成は、図１の仕切体用シートにおける第一切込線３、第一折曲容易線４、第二折曲容易線５及び第二切込線６の構成と同様であるため、図６の仕切体用シートについて重複する説明は省略する。
【００６２】
図６の仕切体用シートにおける係合スリット３７は、組立スリット３８の幅狭部４０に対応する位置に配置され、閉じた長穴となっていることを除いて、図１の仕切体用シートにおける係合スリット７と同様とすることができる。
【００６３】
図６の仕切体用シートにおける組立スリット３８の構成は、第二幅広部４１を有することを除いて、図１の仕切体用シートにおける組立スリット８と同様とすることができる。より詳しくは、図６の仕切体用シートにおける組立スリット３８の第一幅広部３９及び幅狭部４０の構成は、図１の仕切体用シートにおける組立スリット８の第一幅広部９及び幅狭部１０の構成と同様とすることができる。また、第二幅広部４１の平均幅とは、第一幅広部３９の平均幅と同様とすることができる。
【００６４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６５】
当該仕切体用シートは、係合スリットが形成された第一仕切板と、この第一仕切板に接続片を介して接続され、上記第一仕切板の係合スリットに嵌合する幅狭部を有する組立スリットが形成された第二仕切板とを備えるものであれば、これ以外の任意の構成を備えてもよい。
【００６６】
例として、第二仕切板と組み合わされる第一仕切板が、別の第一仕切板の係合スリットに嵌合する幅狭部を有する第二仕切板を兼ねてもよい。つまり、第一仕切板及び第二仕切板との名称は、その機能に着目して相対的に使用されるものである。
【００６７】
また、当該仕切体用シートにおいて、第一仕切板が第二折曲容易線の延長線上に配列される複数の係合スリットを有し、組立スリットが複数の係合スリットにそれぞれ嵌合する複数の幅狭部を有してもよい。
【００６８】
また、当該仕切体用シートにおいて、第一仕切板及び第二仕切板の概略形状は、方形状に限られず、包装箱又は包装容器の形状に合わせて例えば三角形状、台形状、半円形状等、任意に選択することができる。
【００６９】
また、当該仕切体用シートにおいて、組立スリットの幅狭部は、第二折曲容易線に平行な三本以上の切断部を有する無幅部を有してもよい。また、第二折曲容易線に平行な切断部間を傾斜した切断部や湾曲又は屈曲した切断部で接続してもよい。
【産業上の利用可能性】
【００７０】
本考案の仕切体用シートは、特に瓶入りの液体等の傷つき易い商品を複数同一の包装箱に収容する際に好適に利用することができる。
【符号の説明】
【００７１】
１，２１，３１  第一仕切板
２，２２，３２  第二仕切板
３  第一切込線
４  第一折曲容易線
４ａ  一端
５  第二折曲容易線
６  第二切込線
７，３７  係合スリット
８，３８  組立スリット
９，３９，４１  幅広部
１０，４０  幅狭部
１１  接続片
１２  第一切断部
１３  第二切断部
１４  第三切断部
Ｌ  仮想直線
【図１】
0003201127.tif 000003
【図２】
0003201127.tif 000004
【図３】
0003201127.tif 000005
【図４】
0003201127.tif 000006
【図５】
0003201127.tif 000007
【図６】
0003201127.tif 000008